(57)【要約】【課題】  点火プラグに向けて太く長い燃料噴霧を形成することで、点火プラグによる着火可能領域を広げ、圧縮行程噴射時に高い着火安定性を持つ燃料噴射装置を提供する。【解決手段】  インジェクタが備える複数の噴孔のうち少なくとも一つを燃料の流れ方向である噴孔入口から噴孔出口にかけて噴孔断面半径が滑らかに減少させ、かつ噴孔出口近傍で噴孔断面半径がほとんど変化しない噴孔（縮流孔６）を有するインジェクタを用いて筒内燃料噴射エンジンを構成する。さらに、ここで設けた縮流孔６を火花点火装置に向けて筒内噴射エンジンに取り付ける。【選択図】図３
2009085041.tif 000002
【特許請求の範囲】
【請求項１】
内燃機関の筒内へ直接燃料を噴射する燃料噴射装置であって、燃料を噴射する少なくとも２つ以上の噴孔を有する燃料噴射装置において、
少なくとも一つの前記噴孔が該噴孔の断面の半径が燃料の流れ方向である前記噴孔の入口から出口の方向に連続的に減少し、かつ前記噴孔の燃料の流れる方向の断面半径変化率が前記出口にてほぼ０となる縮流孔であることを特徴とする燃料噴射装置。
【請求項２】
請求項１に記載の燃料噴射装置において、全ての噴孔が縮流孔であり、設定した流量を満足するように各噴孔の入口と出口の断面積比が設定されることを特徴とする燃料噴射装置。
【請求項３】
請求項１に記載の燃料噴射装置において、前記縮流孔が点火プラグに向けて燃料を噴射するように設定されていることを特徴とする燃料噴射装置。
【請求項４】
請求項２に記載の燃料噴射装置において、バルブニードルのリフト量を可変にする機構を備えることを特徴とする燃料噴射装置。
【発明の詳細な説明】
【技術分野】
【０００１】
本発明は、筒内噴射用の燃料噴射装置（以下、インジェクタという）に関する。
【背景技術】
【０００２】
筒内燃料噴射エンジンにおいて、エンジン始動時や低負荷運転時に、シリンダ内に吸入した空気をピストンにより圧縮する行程（以下、圧縮行程という）に燃料を噴射し、点火プラグの周りに燃料を集めて燃焼する制御手法がある。この圧縮行程の燃料噴射は、燃料消費量低減のため、低負荷運転時に燃料を点火プラグの周りに集め、シリンダ内に燃料濃度が濃い場所と薄い場所を作ることを目的としている。圧縮行程の燃料噴射では、点火プラグの周りに燃料を噴射し、気化した燃料と空気が混合した混合気を、点火プラグ周りに形成させる。点火プラグ周りに形成された燃料と空気の混合気は、点火プラグによって着火され燃焼にいたる。ここで、点火プラグ周りに形成された混合気を確実に燃焼させるには、噴射された燃料から気化した燃料ガスを点火プラグによって着火可能な領域に分布させる必要がある。また、圧縮行程の燃料噴射から点火プラグによる着火までの時間は短い。このため、燃料がインジェクタから噴射され、点火プラグにて着火するまでに十分に気化しない場合がある。燃料が十分に気化されないと、未燃燃料として、エンジンから排出され、有害排出ガスとなる。従って、短い時間にて気化させる必要があり、このためには、噴射される燃料を微粒化させて燃料気化を促進させる必要がある。
【０００３】
インジェクタから噴射される燃料の微粒化には、インジェクタに設ける噴孔の径（噴孔径）を小さくすること（小噴孔径化）が有効である。しかし、噴孔径を小さくすると、燃料が噴孔を通過する際の圧力損失が大きくなり、燃料流量が減少するという問題が生じる。これを解決するために特開２００１−１８２６４１号公報に記載されている技術がある。これは、インジェクタ噴孔の断面積を入口から出口にかけて順次減少させることで、噴孔における燃料の圧力損失を低減し、燃料流量を確保し，高速の燃料噴射を実現する技術である。
【０００４】
【特許文献１】特開２００１−１８２６４１号公報
【発明の開示】
【発明が解決しようとする課題】
【０００５】
上記従来技術では、図１２に示すように噴孔出口断面において、燃料の噴射方向３０が噴孔２９の中心軸方向に集まるように向いている。従って、上記従来技術では、図１３に示すように、噴霧が広がる範囲３１が小さくなるため、点火プラグ周りでの噴霧が小さくなるという課題があった。つまり、従来手法では、小噴孔径化により点火プラグ周りへの燃料噴霧を微粒化することは可能であるが、微粒化された燃料の分布する領域が小さく、着火可能領域が狭くなり、点火プラグによる着火安定性が低下するという問題があった。
【０００６】
本発明は、小噴孔径化による微粒化性能を確保しながら、点火プラグに向けて噴射する燃料噴霧が形成される範囲を大きくし、圧縮噴射時の着火安定性を高くすることを目的とする。
【課題を解決するための手段】
【０００７】
上記目的を達成するために、本発明は、内燃機関の筒内へ直接燃料を噴射する複数の噴孔を有するインジェクタにおいて、少なくとも１つの噴孔を、噴孔入口から噴孔出口にかけて噴孔断面半径が噴孔軸方向に滑らかに減少し、噴孔出口近傍で噴孔断面半径がほとんど変化しない噴孔（以下、縮流孔という）を有するインジェクタとしたものである。これにより、縮流孔の出口断面において、燃料の速度の向きを噴孔軸方向と一致させ、かつ、速度の大きさをほぼ一定にすることができるので、噴霧が広がる範囲を広くすることができる。この結果、着火安定な領域を長く広く作ることが可能になる。
【発明の効果】
【０００８】
本発明によれば、縮流孔を通過した燃料は、噴孔出口断面において燃料の速度方向を噴孔軸方向に平行にすることができ、さらに噴孔出口断面において速度の大きさをほぼ一定にすることができる。このため、縮流孔から太い燃料噴霧を噴射することができる。
【発明を実施するための最良の形態】
【０００９】
以下、本発明に係る実施例を説明する。
【実施例１】
【００１０】
図１，図２，図３は、本発明の第１の実施例を示したものである。図１はインジェクタの構成図、図２はインジェクタの噴孔が設けられている面を見た図であり、ノズルボディ先端における縮流孔６と噴孔入口から噴孔出口にかけて噴孔断面積の変化がほとんど無い噴孔７（以下、直孔）の配置を示した図である。図３は縮流孔６の形状を図示し、かつ形状を設定するための座標を定義する図である。
【００１１】
図１にてインジェクタの構成を説明する。インジェクタは、バルブニードル１，ガイド２，ばね３，コイル４，ノズルボディ５を備えている。ノズルボディ５の先端には、複数の噴孔が設けられており、これらは縮流孔６と直孔７の組み合わせである。
【００１２】
通常時閉型の電磁式燃料噴射ノズルであるインジェクタは、コイル４に通電されていない状態においては、バルブニードル１と弁座部８が密着している。燃料は図示しない燃料ポンプによって圧力を付与された状態で燃料通路１０やガイド２に設けられた溝に満たされている。コイル４に通電されると、バルブニードル１が変位し弁座部８から離れる。バルブニードル１が弁座部８から離れると、燃料はバルブニードル１と弁座８の間を通過し燃料の流路９に至り、縮流孔６や直孔７を通りインジェクタ外部へと噴射される。
【００１３】
図２はインジェクタのノズルボディ５先端に設けられた複数の噴孔の構成を示した図である。本実施例は、噴孔は６つあり、１つが縮流孔６、残りの５つは直孔７で構成される。縮流孔６は、点火プラグに向けて燃料を噴射するための噴孔である。また、直孔７はその他の設計で設定された方向へ燃料を噴射するように穴の向きが設定されている。縮流孔６や直孔７は要求される流量を噴射できるように噴孔径が設定されている。
【００１４】
図３は縮流孔６の断面形状を拡大した図である。縮流孔６の形状の設定方法を図３に基づいて説明する。最初に、本実施例で定義した座標を説明する。燃料側のノズルボディ壁面を表す線１１と縮流孔の断面形状を示す線１３の交点をＡ、燃料側のノズルボディ壁面を表す線１１と縮流孔の断面形状を示す線１４の交点をＢ、燃焼室側のノズルボディ壁面を表す線１２と噴孔の断面形状を示す線１３との交点をＣ、燃焼室側のノズルボディ壁面を表す線１２と噴孔の断面形状を示す線１４との交点をＤとする。図に示すＢから中心軸線に下ろした垂線と中心軸線の交点をＯ，Ａから中心軸線に下ろした垂線と中心軸線の交点をＯ′とする。Ｃから中心軸線に下ろした垂線と中心軸線の交点をＥ，Ｄから中心軸線に下ろした垂線と中心軸線の交点をＥ′とする。Ｂから中心軸線に下ろした垂線と噴孔壁面１３の交点をＡ′とする。Ｃから中心軸線に下ろした垂線と噴孔壁面１４との交点をＤ′とする。点Ｏを原点とし、噴孔の中心軸線の方向を噴孔入口から噴孔出口に向かう方向を正の方向とするｘ軸を定義する。
【００１５】
続いて、縮流孔６の断面形状について説明する。縮流孔６の断面半径ｒは、Ｏ′Ａの長さをＲ、ＥＤ′の長さをＲ０、ＯＥの長さをＬ、ＯＯ′の長さをＬ０、ＥＥ′の長さをＬＥとするとき、ｘ軸を用いて以下の式を満足するように設定される。
【００１６】
ｒ＝０.５×(Ｒ＋Ｒ０)＋０.５×(Ｒ−Ｒ０)×cos{π×(ｘ／Ｌ)m}  （０＜ｘ＜Ｌ）
ｒ＝Ｒ０    （Ｌ≦ｘ≦Ｌ＋ＬＥ）
ｒ＝Ｒ    （−Ｌ０≦ｘ≦０）
ここで、ｍ≧１，Ｒ＞Ｒ０を満たす実数、πは円周率である。
【００１７】
また、以下の式を満足するように設定される場合もある。
【００１８】
ｒ＝Ｒ０＋(Ｒ−Ｒ０)×[{cos(π／２／Ｌ×ｘ)}n]    （０＜ｘ＜Ｌ）
ｒ＝Ｒ０    （Ｌ≦ｘ≦Ｌ＋ＬＥ）
ｒ＝Ｒ    （−Ｌ０≦ｘ≦０）
ここで、１＜ｎ≦２，Ｒ＞Ｒ０を満たす実数、πは円周率である。
【００１９】
以上の方法で断面半径を設定することで、縮流孔出口で断面半径変化率をほぼ０とすることができる。ここで、出口で噴孔断面半径変化率がほぼ０となるとは、図３において定義したＥにおいて半径の変化率ｄｒ／ｄｘがほぼ０となることである。
【００２０】
本実施例によれば、縮流孔６を通過した燃料は縮流孔６の出口断面における燃料の噴射速度の方向と大きさを揃えることができ、また、直孔７を通過するのに比べて縮流孔６を通過する際の圧力損失は小さいので、太く長い噴霧を縮流孔６から噴射することが可能である。
【実施例２】
【００２１】
縮流孔６の形状に関する第２の実施例を図４に示す。図４は、縮流孔６の噴孔形状を示した図である。本実施例では、縮流孔６が噴孔入口から噴孔出口近傍までテーパー状に形成されており、噴孔入口から噴孔出口近傍にかけて断面の半径が小さくなる。また、噴孔出口近傍から噴孔出口まで、噴孔径がほぼ一定で変化しないように形成されている。図４を用いて、本実施例が満たす条件を説明する。最初に、本実施例で定義した座標を説明する。燃料側のノズルボディ壁面を表す線２５と縮流孔の断面形状を示す線２７の交点をＡ２，燃料側のノズルボディ壁面を表す線２５と縮流孔の断面形状を示す線２８の交点をＢ２，燃焼室側のノズルボディ壁面を表す線２６と噴孔の断面形状を示す線２７との交点をＣ２、燃焼室側のノズルボディ壁面を表す線２６と噴孔の断面形状を示す線２８との交点をＤ２とする。Ｂ２から中心軸線に下ろした垂線と中心軸線の交点をＯ２，Ａ２から中心軸線に下ろした垂線と中心軸線の交点をＯ２′とする。Ｄ２から中心軸線に下ろした垂線と中心軸線の交点をＥ２′とする。Ｂ２から中心軸線に下ろした垂線と噴孔壁面２７の交点をＡ２′とする。断面形状がテーパー形状で形成される領域から断面形状がほとんど変化しない領域に切り替わる点は、噴孔の断面形状を表す線２７上の点をＧ、噴孔の断面形状を表す線２８上の点をＨとする。中心軸と線分ＧＨの交点をＥ２とする。
【００２２】
点Ｏ２を原点とし、噴孔の中心軸線の方向を噴孔入口から噴孔出口に向かう方向を正の方向とするｘ軸を定義する。本実施例は、Ｏ２′Ａ２の大きさをＲ、ＧＥ２の大きさをＲ０、Ｏ２′Ｅ２の大きさをＬＴ、Ｅ２Ｅ２′の大きさをＬＥとしたとき、
Ｒ＞Ｒ０
かつ
ＬＴ＞ＬＥ
となる関係を満足するように設定される。
【００２３】
本実施例は、第１の実施例にて説明した縮流孔６の形状に比べ加工が容易であり加工精度が出しやすい。また、第１の実施例にて説明した縮流孔６に近い効果を得ることができる。
【実施例３】
【００２４】
図５は、本発明の第３の実施例を示した図である。図５は縮流孔を備えたインジェクタを用いて構成された筒内噴射エンジンの構成図である。
【００２５】
図５は、第１の実施例にて説明したインジェクタ１５を筒内噴射エンジンに適用したものである。筒内噴射エンジンは、インジェクタ１５，点火プラグ１６，ピストン１７，吸気管１８，吸気バルブ１９，排気管２０，排気バルブ２１，シリンダヘッド２２，シリンダブロック２３で構成される。点火プラグ１６はシリンダヘッド２２のほぼ中央に取り付けられる。インジェクタ１５はシリンダヘッド２２の吸気管側に取り付けられる。ただし、インジェクタ１５のノズルボディ５先端に空けられた縮流孔６が火花点火プラグ１６に向かって燃料を噴射するように取り付けられる。本実施例は、圧縮行程噴射において特に効果がある。圧縮行程噴射では、筒内噴射エンジンは次のように作用する。吸気バルブ１９を開き、ピストン１７の位置を下げることにより、シリンダ内に空気を取り込む。その後、吸気バルブ１９を閉め、ピストン１７によりシリンダ内に吸入された空気を圧縮すると共に、インジェクタ１５から燃料をシリンダ内に直接噴射して火花点火プラグ１６によって点火、燃焼させる。この間、排気バルブは閉じたままである。
【００２６】
本実施例の効果を説明する。縮流孔６を通った燃料は圧力損失を低減できるので、縮流孔６からは高速の燃料噴射が可能になる。このため、縮流孔６から噴射された燃料噴霧が到達する距離を長くすることができる。また、縮流孔６の出口断面変化をほぼ０と設定することで、インジェクタ内の流路６を通って噴孔に至り縮流孔を通った燃料は図３のＣＤ’断面において速度の方向を噴孔軸方向に平行にすることができる。このため、縮流孔６から点火プラグ１６に向けて微粒化特性のよい太く長い噴霧を噴射することができ、圧縮行程という高背圧下条件において高い着火安定性を確保できる。さらに、燃料は縮流孔６を通過する際に整流され、噴孔の上流で発生した乱れ（速度変動）の大部分を取り除くことができる。このため、噴孔の上流で発生した乱れが原因で生じる燃料噴霧到達距離のばらつきや噴霧広がりのばらつきを小さくすることできる。
【実施例４】
【００２７】
第４の実施例について、図５に基づいて説明する。図５は、縮流孔６を備えたインジェクタを用いて構成された筒内噴射エンジンの構成図である。インジェクタ先端に設けられた噴孔は縮流孔６と直孔７の組み合わせで構成されている。ただし、点火プラグに向けて噴射する燃料は、縮流孔６から噴射されるように設置されている。図６はエンジン回転数と負荷の関係を示した図である。負荷の低い条件３４から負荷が高くなる条件３５へと切り替える際に、ノッキングの回避等を狙い吸気行程に１回目の燃料噴射を行い、圧縮行程の火花点火直前に２回目の燃料噴射を行う制御をする場合がある。具体的に図５を用いて作用を説明する。吸気バルブ１９が開き、ピストン１７が下がることで、シリンダ内に空気を取り込む。空気取り込みと同時に、インジェクタ１５によってシリンダ内に燃料を噴射する。吸気バルブを閉め、ピストン１７の上昇に伴い筒内のガスを圧縮する。点火プラグ１６による点火直前に、筒内に燃料を噴射し、その後、着火する。２回目の燃料噴射は点火プラグ１６まわりに濃い燃料混合気を形成するために行う。そのため、２回目に噴射する燃料は、太く長い噴霧にして確実に点火プラグ１６周りに噴霧を届かせる必要がある。本実施例によれば、第３の実施例と同様、点火プラグ１６に向けて縮流孔６を向けているので、点火プラグ１６に向けて太く長い噴霧を噴射できるので、高い着火安定性を実現できる。
【実施例５】
【００２８】
図７は、インジェクタのノズルボディ先端に設けられた噴孔の配置を示した図である。図７に示すように、第５の実施例では、すべての噴孔が縮流孔６となっている。縮流孔６は縮流孔入口と出口の断面積比によって、流量を設定することが可能である。この性質を用いて、本実施例では、噴孔の出口径は同じ大きさに設定し、各孔の入口と出口の断面積比によって噴孔毎の流量分配を行っている。このため、微粒化性能を犠牲にすることなく、流量分配が可能である。直孔の場合は、噴孔径を変化させることにより、流量分配を決めることができるが、これは流量を増やす場合、噴孔径を大きくすることになるので、微粒化性能を悪化させる原因となる。
【実施例６】
【００２９】
図８は第６の実施例を示す図である。図８に基づいて説明する。インジェクタはコイル３６，超磁歪素子３７，プランジャ３８，バルブニードル３９，ノズルボディ４０から構成されている。本実施例のインジェクタは、通常時はばね４１の力によりバルブニードル３９と弁座部４３は密着している。コイル３６は通電すると、磁界を発生し、超磁歪素子３７が変位する。これに伴い、超磁歪素子３７の上に構成されたプランジャ３８が引き上げられ、プランジャ３８の下側に構成されたバルブニードル３９が引き上げられることで、弁座部４３とバルブニードル３９は離れ開弁状態となる。開弁状態になると、バルブニードル３９と弁座部４３の間に流路ができ、図示しない高圧ポンプにて加圧された燃料がこの流路を通り縮流孔６を通過して燃焼室内に噴射される。超磁歪素子３６を用いたインジェクタは、コイルに通電する波形を変えることで、バルブニードル３９の上昇量を制御することが可能である。図９と図１０にコイルへの入力信号の波形を示した図であり、ステップ状に与えている。信号入力を継続する時間間隔は同じであるが、信号の最大値であるＩ１とＩ２は異なる。ここで、Ｉ１＞Ｉ２とする。図９の波形でコイルに通電した場合と図１０の波形でコイルに通電した場合、図９の波形でコイルに通電したほうがプランジャ３８の上昇量は大きくなり、これに伴いバルブニードル３９と弁座部４３の間にできる流路が大きくなる。このように本実施例は、バルブニードル３９の上昇量（リフト量）を操作可能であり、リフト量の操作により噴射する流量を制御することができる。しかし、リフト量が変化すると、バルブニードル３９と弁座部４３を流れる燃料に発生する乱れが変化する。これは、噴射後の粒径が変化する原因となる。本実施例では、インジェクタは全孔が縮流孔６となっており、縮流孔６を通過する際に、燃料の流れは整流されるため、燃焼室内に噴射されるときには、燃料が持っていた乱れの大部分は取り除くことができる。したがって、リフト量の変化が原因となる噴射後の粒径のばらつきを抑えることができる。
【実施例７】
【００３０】
インジェクタのノズル形状に関する第７の実施例について説明する。図１１はＶＣＯ型のノズルを持つインジェクタの構成図であり、これまでの説明で用いたインジェクタとはインジェクタの先端部分の構成が異なる。図１１に基づいて本実施例を説明する。インジェクタは、バルブニードル１，ガイド２，ばね３，コイル４，ノズルボディ５を備えている。ノズルボディ５の先端には、複数の噴孔が設けられており、これらは縮流孔６と直孔７の組み合わせである。縮流孔６や直孔７は、設計で設定された方向へ燃料を噴射するように穴が開けられている。作用を簡単に説明する。本実施例のインジェクタは通常時閉型の電磁式燃料噴射ノズルであり、コイル４に通電されていない状態においては、バルブニードル１と弁座部８とが密着している。燃料は図示しない燃料ポンプによって圧力を付与された状態で燃料通路１０やガイド２に設けられた溝に満たされている。コイル４に通電されると、バルブニードル１が変位し弁座部８から離れる。バルブニードル１が弁座部８から離れると、燃料はガイドに設けた溝や燃料経路を通って流れ、バルブニードル１と弁座部８の間にできた流路を通過する。その後、縮流孔６や直孔７を通りインジェクタ外部へと噴射される。
【００３１】
ＶＣＯ型のノズルを持つインジェクタにおいても、これまで説明してきた構成のインジェクタと同様の効果がある。
【００３２】
上述した実施例によれば、少なくとも二つ以上の複数の噴孔を有するインジェクタにおいて、噴孔入口から噴孔出口にかけて噴孔断面積が順次小さくなり、噴孔出口で噴孔断面半径変化率がほぼ０となる噴孔（縮流孔６）を有するインジェクタを作成できる。縮流孔６を通過した燃料は、噴孔出口断面において燃料の速度方向を噴孔軸方向に平行にすることができ（図１４）、さらに噴孔出口断面において速度の大きさをほぼ一定にすることができる。このため、縮流孔から噴射した燃料噴霧は図１３に示す従来技術に比べて太い燃料噴霧を噴射することができる（図１５）。
【００３３】
また、噴孔を全て縮流孔にすることができ、噴孔における圧力損失を低減することができる。このため、燃料ポンプの設定圧力を下げ、システムのエネルギー消費量を下げることができる。また、各縮流孔の噴孔入口と噴孔出口の比によって流量を制御することができるので、複数ある噴孔の出口断面積の大きさを同等に設定したうえで流量分配ができる。この結果、微粒化性能を損なうことなく、流量分配ができる。直孔７の場合、各穴ごとの流量分配は、噴孔径を変えるしかない。この方法では、微粒化性能が犠牲になる可能性がある。
【００３４】
また、太く長い噴霧を火花点火プラグに向けて噴射することができるので、点火プラグに向かって伸びる噴霧を太く長い噴霧とすることができる。この結果、火花点火プラグによる着火可能領域を広くすることができるので、圧縮噴射行程において着火安定性を増すことができる。
【００３５】
バルブニードルのリフト量に応じて、インジェクタ内で燃料流れに発生する乱れが変化する。この乱れは、噴射後の噴霧到達距離や粒径に影響を与える。請求項４の発明によれば、縮流孔６で得られる整流効果により、縮流孔６を通過する間にインジェクタ内で発生した乱れの大部分取り除くことができる。
【図面の簡単な説明】
【００３６】
【図１】燃料噴射装置の構成図（実施例）。
【図２】噴孔の組み合わせ図（実施例）。
【図３】燃料噴射装置の噴孔近傍の拡大図（実施例）。
【図４】テーパー形状による縮流孔の実施例（実施例）。
【図５】筒内噴射エンジンの構成図（実施例）。
【図６】エンジン回転数と負荷を示す図（実施例）。
【図７】燃料噴射装置の噴孔近傍の拡大図（実施例）
【図８】プランジャの可変リフト機構を持つインジェクタ図（実施例）。
【図９】コイルへの入力信号例（実施例）。
【図１０】コイルへの入力信号例（実施例）。
【図１１】ＶＣＯ型のノズルを持つ燃料噴射装置構成図（実施例）。
【図１２】従来技術による噴孔と出口における燃料の速度。
【図１３】従来技術による噴孔と燃料と空気の混合気形成領域。
【図１４】本発明による噴孔出口における燃料の速度方向。
【図１５】本発明による燃料と空気の混合気形成領域。
【符号の説明】
【００３７】
１  バルブニードル
２  ガイド
３，４１，４２  ばね
４，３６  コイル
５，４０  ノズルボディ
６  縮流孔
７  直孔
８，４３  弁座部
９，１０  燃料通路
１１，２５  燃料側のノズルボディの断面を表す線
１２，２６  燃焼室側のノズルボディの断面を表す線
１３，１４，２７，２８  噴孔の断面形状を表す線
１５  燃料噴射装置
１６  点火プラグ
１７  ピストン
１８  吸気管
１９  吸気バルブ
２０  排気管
２１  排気バルブ
２２  シリンダヘッド
２３  シリンダブロック
２４  燃料噴霧
２９  従来技術による噴孔
３０，３２  噴孔出口における燃料の速度
３１，３３  燃料混合気形成範囲
３４  低回転低負荷運転条件
３５  高負荷運転条件
３７  超磁歪素子
３８  プランジャ
３９  開閉用プランジャ
【図１】
2009085041.tif 000003
【図２】
2009085041.tif 000004
【図３】
2009085041.tif 000005
【図４】
2009085041.tif 000006
【図５】
2009085041.tif 000007
【図６】
2009085041.tif 000008
【図７】
2009085041.tif 000009
【図８】
2009085041.tif 000010
【図９】
2009085041.tif 000011
【図１０】
2009085041.tif 000012
【図１１】
2009085041.tif 000013
【図１２】
2009085041.tif 000014
【図１３】
2009085041.tif 000015
【図１４】
2009085041.tif 000016
【図１５】
2009085041.tif 000017